(57)【特許請求の範囲】
【請求項１】
上枠部、下枠部及び一対の側枠部によって形成された遊技機の枠体であって、
上記下枠部は、機能部品を収納するための収納部を有する発泡樹脂成形体によって構成されており、かつ、上壁部、下壁部、一対の側壁部及び後壁部を有しており、
上記収納部は、上記上壁部、上記下壁部、上記一対の側壁部及び上記後壁部によって囲まれて形成されており、
上記下壁部における左右両側の外側部分の上下方向の厚みに比べて、該下壁部における中央部分の上下方向の厚みは小さく、
上記機能部品は、上記収納部における、上記上壁部と上記下壁部の上記中央部分との間に配置されたスピーカである、遊技機の枠体。
【請求項２】
上枠部、下枠部及び一対の側枠部によって形成された遊技機の枠体であって、
上記上枠部、上記下枠部及び上記一対の側枠部のうちのいずれかは、機能部品を収納するための収納部を有する発泡樹脂成形体によって構成されており、
上記下枠部と上記側枠部との間の角部には、該下枠部と該側枠部とを連結するＬ形状の金具が配置されており、
該金具は、上記下枠部における下壁部の内側に対面する金具下部と、上記下枠部における側壁部の内側に対面する金具側部とを有しており、
上記側壁部は、上記金具側部と上記側枠部との間に挟持されている、遊技機の枠体。
【発明の詳細な説明】
【技術分野】
【０００１】
本発明は、上枠部、下枠部及び一対の側枠部によって形成された遊技機の枠体に関する。
【背景技術】
【０００２】
パチンコ遊技機等の遊技機においては、遊技盤、球発射装置、整流器、球皿等の主要部品が配置された本体枠を、木材によって形成された枠体（外枠）に配置することが行われている。枠体は、遊技機をホール側に設置する際に、釘打ちが可能であることを理由に、木材から形成されることがほとんどである。ただし、木材は、湿度の変化によって寸法が変化する性質を有する。
そこで、例えば、特許文献１のパチンコ台においては、湿度の変化によって寸法の変化が起きないようにするために、パチンコ台板とパチンコ台枠とを、発泡合成樹脂成形体によって形成することが行われている。
【先行技術文献】
【特許文献】
【０００３】
【特許文献１】特開平９−６６１４９号公報
【発明の概要】
【発明が解決しようとする課題】
【０００４】
しかしながら、特許文献１のパチンコ台においては、パチンコ台板及びパチンコ台枠に、機能部品を収納するための収納部を設ける工夫はなされていない。また、このパチンコ台は、上枠部、下枠部及び一対の側枠部の全体が発泡合成樹脂によって形成されている。そのため、パチンコ台の軽量化が図られる一方、発泡合成樹脂成形体が大型であり、その成形精度を維持することは容易ではない。
【０００５】
本発明は、かかる課題に鑑みてなされたもので、釘打ち作業を可能にしつつ、機能部品を収納するための構造を簡単にすることができ、発泡樹脂成形体の成形精度を高く維持することができる遊技機の枠体を提供しようとして得られたものである。
【課題を解決するための手段】
【０００６】
本発明の一態様は、上枠部、下枠部及び一対の側枠部によって形成された遊技機の枠体であって、
上記下枠部は、機能部品を収納するための収納部を有する発泡樹脂成形体によって構成されており、かつ、上壁部、下壁部、一対の側壁部及び後壁部を有しており、
上記収納部は、上記上壁部、上記下壁部、上記一対の側壁部及び上記後壁部によって囲まれて形成されており、
上記下壁部における左右両側の外側部分の上下方向の厚みに比べて、該下壁部における中央部分の上下方向の厚みは小さく、
上記機能部品は、上記収納部における、上記上壁部と上記下壁部の上記中央部分との間に配置されたスピーカである、遊技機の枠体にある。
本発明の他の態様は、上枠部、下枠部及び一対の側枠部によって形成された遊技機の枠体であって、
上記上枠部、上記下枠部及び上記一対の側枠部のうちのいずれかは、機能部品を収納するための収納部を有する発泡樹脂成形体によって構成されており、
上記下枠部と上記側枠部との間の角部には、該下枠部と該側枠部とを連結するＬ形状の金具が配置されており、
該金具は、上記下枠部における下壁部の内側に対面する金具下部と、上記下枠部における側壁部の内側に対面する金具側部とを有しており、
上記側壁部は、上記金具側部と上記側枠部との間に挟持されている、遊技機の枠体にある。
【発明の効果】
【０００７】
上記遊技機の枠体においては、上枠部、下枠部及び一対の側枠部のうちのいずれかが、機能部品を収納するための収納部を有する発泡樹脂成形体によって構成されている。これにより、上枠部、下枠部及び一対の側枠部のうちのいずれかに、機能部品を直接収納することが可能になる。そのため、機能部品を収納するための構造を簡単にすることができる。
また、上枠部、下枠部及び一対の側枠部のうちのいずれかを発泡樹脂成形体によって構成することにより、成形する発泡樹脂成形体を小さく抑えることができ、その成形精度を高く維持することができる。また、発泡樹脂成形体によれば、木材と同様に、釘打ち作業を可能にすることができる。
【０００８】
それ故、上記遊技機の枠体によれば、釘打ち作業を可能にしつつ、機能部品を収納するための構造を簡単にすることができ、発泡樹脂成形体の成形精度を高く維持することができる。
【図面の簡単な説明】
【０００９】
【図１】実施形態にかかる、遊技機の枠体を示す斜視図。
【図２】実施形態にかかる、枠体の下枠部を示す斜視図。
【図３】実施形態にかかる、枠体の下枠部及び下枠部に取り付けられた幕板を、左右方向から見た状態で示す断面説明図。
【図４】実施形態にかかる、枠体の下枠部に配置された金具の周辺を示す正面図。
【発明を実施するための形態】
【００１０】
上述した遊技機の枠体にかかる好ましい実施の形態について説明する。
上記本発明の一態様においては、上記下枠部は、上記発泡樹脂成形体によって構成されており、かつ、上壁部、下壁部、一対の側壁部及び後壁部を有しており、上記収納部は、上記上壁部、上記下壁部、上記一対の側壁部及び上記後壁部によって囲まれて形成されており、上記下壁部における左右両側の外側部分の上下方向の厚みに比べて、該下壁部における中央部分の上下方向の厚みは小さく、上記機能部品は、上記収納部における、上記上壁部と上記下壁部の上記中央部分との間に配置されたスピーカである。
【００１１】
この場合には、下枠部を構成する上壁部、下壁部、一対の側壁部及び後壁部によって、機能部品を配置するための十分な容積を有する収納部を容易に形成することができる。また、下壁部における左右両側の外側部分の上下方向の厚みを大きくすることにより、一対の側枠部と連結される下枠部の剛性を適切に確保することができる。また、下壁部における中央部分の上下方向の厚みを小さくすることにより、下枠部の中央部分における、機能部品を配置するためのスペースを極力大きくすることができる。特に、機能部品がスピーカである場合には、上下方向の寸法が大きなスピーカを収納部に配置することが容易になる。
【００１２】
また、上記本発明の他の態様においては、上記下枠部と上記側枠部との間の角部には、該下枠部と該側枠部とを連結するＬ形状の金具が配置されており、該金具は、上記下枠部における下壁部の内側に対面する金具下部と、上記下枠部における側壁部の内側に対面する金具側部とを有しており、上記側壁部は、上記金具側部と上記側枠部との間に挟持されている。
【００１３】
この場合には、Ｌ形状の金具によって、発泡樹脂成形体によって構成された下枠部と、側枠部との間の角部の剛性を高めることができる。
また、下枠部は、発泡樹脂成形体によって構成されていることにより、金具及び側枠部に比べて強度が低くなる。そのため、下枠部の側壁部を、金具の金具側部と側枠部との間に挟持することにより、側壁部の強度不足を補って、下枠部と、側枠部との間の角部の剛性を高めることができる。
【００１４】
以下に、遊技機の枠体にかかる実施形態について、図面を参照して説明する。
遊技機の枠体１は、図１に示すように、遊技機の上下左右の端に位置する、上枠部１１、下枠部２及び一対の側枠部１２によって、四角枠形状に形成されている。下枠部２は、図２に示すように、機能部品としてのスピーカ３を収納するための収納部２５を有する発泡樹脂成形体によって構成されている。
【００１５】
図１に示すように、本形態の遊技機は、パチンコ遊技機であり、枠体１は、遊技盤等が配置された樹脂製の本体枠を配置するための外枠を形成するものである。遊技機をホール側に設置する際には、枠体１における上枠部１１及び下枠部２をホール側の設置部に固定することができる。
本形態の枠体１においては、上枠部１１及び下枠部２は、発泡樹脂成形体によって構成されており、一対の側枠部１２は、アルミニウム又はアルミニウム合金によって構成されている。一対の側枠部１２は、押出し成形によって形成することができる。また、一対の側枠部１２は、軽量である他の金属、木材等によって構成することもできる。
【００１６】
上枠部１１及び下枠部２は、発泡樹脂成形体によって構成されていることにより、遊技機をホール側の設置部に設置する際、あるいは遊技機を運搬する際などに、釘打ち（釘を貫通させて止め付けること）を可能にすることができる。一対の側枠部１２は、軽量な金属によって構成されていることにより、左右方向Ｗの厚みを極力小さくすることができる。
【００１７】
図２、図３に示すように、下枠部２は、遊技機の後面側（裏面側）に位置する後壁部（裏板部）２１、後壁部２１の上側の縁部において遊技機の前面側に立設された上壁部２２、後壁部２１の下側の縁部において遊技機の前面側に立設された下壁部２３、及び後壁部２１の左右の縁部において遊技機の前面側に立設された一対の側壁部２４を有している。そして、収納部２５は、上壁部２２、下壁部２３、一対の側壁部２４及び後壁部２１によって囲まれた凹部２０内の一部に形成されている。下枠部２は、発泡樹脂成形体によって構成されているため、上壁部２２、下壁部２３、一対の側壁部２４及び後壁部２１を有する器形状に容易に形成することができる。
【００１８】
また、後壁部２１と下壁部２３との角部には、下壁部２３の後方へ伸びる後方下壁部２３０が形成されている。後方下壁部２３０は、遊技機をホール側の設置部に設置する際に、釘Ｋを打つ部分として用いることができる。
また、上枠部１１は、板形状に形成されており、上枠部１１には収納部２５等は形成されていない。
【００１９】
上枠部１１及び下枠部２を発泡成形する際の発泡倍率は、１．５〜５倍とすることができる。上枠部１１は、上下方向Ｈの撓みに対する剛性を確保しにくい板形状に形成されている。そのため、上枠部１１の剛性を高めるために、上枠部１１の発泡倍率は、例えば３倍以下とすることができる。一方、下枠部２は、上下方向Ｈの撓みに対する剛性を確保しやすい器形状に形成されている。そのため、下枠部２の発泡倍率は、上枠部１１の発泡倍率よりも大きくすることができ、例えば５倍以下とすることができる。
【００２０】
図２に示すように、下壁部２３における左右両側の外側部分２３１の上下方向Ｈの厚みｔ１に比べて、下壁部２３における中央部分２３２の上下方向Ｈの厚みｔ２は小さい。下枠部２の下壁部２３の下面は略平坦である。そして、外側部分２３１における、下面からの上面までの高さに比べて、中央部分２３２における、下面からの上面までの高さが低くなっている。下壁部２３における左右両側の外側部分２３１の上下方向Ｈの厚みｔ１を大きくすることにより、一対の側枠部１２と連結される下枠部２の剛性を適切に確保することができる。また、下壁部２３における中央部分２３２の上下方向Ｈの厚みｔ２を小さくすることにより、下枠部２の中央部分２３２における、スピーカ３を配置するためのスペースを極力大きくすることができる。これにより、上下方向Ｈの寸法が大きなスピーカ３を収納部２５に配置することが容易になり、音響効果をより向上させることができる。
【００２１】
図２、図４に示すように、下枠部２と一対の側枠部１２との間の各角部には、下枠部２と各側枠部１２とを連結する、金属製のＬ形状の金具４が配置されている。金具４は、下枠部２における下壁部２３の外側部分２３１の内側に対面する金具下部４１と、下枠部２における側壁部２４の内側に対面する金具側部４２とを有している。金具下部４１及び金具側部４２には、複数のネジ穴４０１が形成されている。下壁部２３の外側部分２３１における、金具下部４１との対向位置、及び側壁部２４における、金具側部４２との対向位置、及び側枠部１２における、金具側部４２との対向位置には、それぞれ複数の貫通穴２０１，１０１が形成されている。
【００２２】
そして、下壁部２３の外側部分２３１の下面から下壁部２３の各貫通穴２０１に挿通される各ネジ４３は、金具下部４１の各ネジ穴４０１に螺合される。また、側枠部１２の外側面から側枠部１２の各貫通穴１０１に挿通される各ネジ４３は、側壁部２４の各貫通穴２０１に挿通された状態で、金具側部４２の各ネジ穴４０１に螺合される。これにより、側壁部２４が金具側部４２と側枠部１２との間に挟持された状態で、下枠部２と側枠部１２とが組み付けられる。
【００２３】
Ｌ形状の金具４を用いることによって、発泡樹脂成形体によって構成された下枠部２を、金属によって構成された側枠部１２に強固に連結することができ、下枠部２と側枠部１２との間の角部の剛性を高めることができる。また、下枠部２は、発泡樹脂成形体によって構成されていることにより、金具４及び側枠部１２に比べて強度が低くなる。そのため、下枠部２の側壁部２４を、金具４の金具側部４２と側枠部１２との間に挟持することにより、側壁部２４の強度不足を補って、下枠部２と、側枠部１２との間の角部の剛性を高めることができる。
また、上枠部１１と側枠部１２との間の角部には、Ｌ形状の別の金具が配置されており、上枠部１１と各側枠部１２とは、この別の金具を用いて連結されている。
【００２４】
図２に示すように、下枠部２の凹部２０には、スピーカ３が収納される収納部２５と、収納部２５に連通され、スピーカ３から発せられる低音を増幅させるためのバックロードホーンを構成する通路部２６とが形成されている。収納部２５は、下枠部２の左右のいずれかに偏って形成されている。また、収納部２５は、上壁部２２と下壁部２３の中央部分２３２との間に形成されている。通路部２６は、収納部２５に連通されて収納部２５から離れるよう左右方向Ｗの一方に伸びる第１通路部分２６１と、第１通路部分２６１の端部から折り返されて収納部２５に近づくよう左右方向Ｗの他方に伸びる第２通路部分２６２とを有する。第１通路部分２６１と第２通路部分２６２とは上下に重なって配置されており、これらの間には左右方向Ｗに伸びる仕切壁２６３が設けられている。
【００２５】
また、下枠部２の凹部２０における左右の端部であって、下壁部２３の左右両側の外側部分２３１の上方には、各金具４が収納される金具収納部２７が形成されている。金具収納部２７は、凹部２０内に形成された区画壁２７１によって、収納部２５及び通路部２６と区画されている。金具収納部２７は、Ｌ形状の金具４に合わせてＬ形状に形成されている。
【００２６】
また、図示は省略するが、機能部品としてのスピーカ３のケーブルは、枠体１に配置される本体枠に配線される。本体枠は枠体１に対して開閉可能に取り付けられている。そして、本体枠の開閉に伴ってケーブルの着脱を可能にするために、本体枠における、ケーブルの着脱箇所には、位置ずれ可能な状態で電気接続を行う、いわゆるドロワーコネクタが設けられている。
【００２７】
図１、図２に示すように、下枠部２の前方側は開口しており、この下枠部２の前面には、樹脂製の幕板５が取り付けられている。幕板５の前壁部（前板部）５１における、スピーカ３の正面に対向する位置には、高音を外部へ出力するための穴５１１が形成されており、幕板５の前壁部５１における、通路部２６の第２通路部分２６２の先端部に対向する位置には、低音を外部へ出力するための穴５１２が形成されている。
下枠部２には、ネジが挿通される複数の貫通穴２８が前後方向Ｄに向けて形成されており、幕板５は、下枠部２の裏面から各貫通穴２８に挿通されたネジが締め付けられることによって下枠部２に取り付けられる。
【００２８】
また、図２に示すように、下枠部２の上壁部２２の上面には、本体枠を開閉可能に支持する開閉軸のヒンジ機構が形成された支持板金６１、外部からの異物挿入を防止するための防犯用部品６２、及び枠体１に対して閉じる本体枠の開放端部を受け止める載置用ストッパー部品６３が取り付けられている。支持板金６１は、側枠部１２にネジによって取り付けられている。防犯用部品６２は、支持板金６１にネジによって取り付けられている。載置用ストッパー部品６３は、木ネジによって下枠部２の上壁部２２に取り付けられている。
【００２９】
また、図３に示すように、下枠部２における上壁部２２、下壁部２３、仕切壁２６３及び一対の側壁部２４の各先端部と、幕板５の裏面との間には、下枠部２と幕板５との隙間を密閉するためのシール材７を設けることができる。この場合、上壁部２２に対向する幕板５の上壁部５２、下壁部２３に対向する幕板５の下壁部５３、仕切壁２６３に対向する幕板５の仕切壁５４、及び一対の側壁部２４に対向する幕板５の一対の側壁部（図示略）の各先端部には、シール材７を配置するための凹部５５を形成することができる。なお、シール材７を配置するための凹部は、上壁部２２、下壁部２３及び一対の側壁部２４の各先端部に形成することもできる。
【００３０】
また、下枠部２と幕板５との隙間の密閉は、シール材７を用いる以外の方法によって行うこともできる。例えば、幕板５の上壁部５２、下壁部５３、仕切壁５４及び一対の側壁部の各先端部に、先端が尖ったシール用突起を形成し、このシール用突起を、下枠部２の上壁部２２、下壁部２３、仕切壁２６３及び一対の側壁部２４の各先端部に食い込ませることにより、下枠部２と幕板５との隙間を密閉することもできる。
【００３１】
また、シール用突起は、下枠部２の上壁部２２、下壁部２３、仕切壁２６３及び一対の側壁部２４の各先端部に発泡樹脂成形によって一体成形することもできる。そして、幕板５を下枠部２にネジによって締め付け固定するときの締め付け圧力を利用してシール用突起を押し潰し、このシール用突起によって下枠部２と幕板５との隙間を密閉することもできる。
【００３２】
本形態の遊技機の枠体１の下枠部２は、発泡樹脂成形体によって構成されており、この下枠部２には、スピーカ３を収納するための収納部２５、及びバックロードホーンを構成する通路部２６が形成されている。これにより、下枠部２に、スピーカ３を直接収納するとともに、バックロードホーンを直接形成することが可能になる。そのため、スピーカ３を収納するとともにバックロードホーンを形成するための構造を簡単にすることができる。
また、上枠部１１及び下枠部２を別々の発泡樹脂成形体によって構成することにより、成形する発泡樹脂成形体を小さく抑えることができ、その成形精度を高く維持することができる。また、発泡樹脂成形体から構成される上枠部１１及び下枠部２は、木材と同様に、釘打ち作業を可能にすることができる。
【００３３】
それ故、本形態の遊技機の枠体１によれば、釘打ち作業を可能にしつつ、スピーカ３を収納するとともにバックロードホーンを形成するための構造を簡単にすることができ、発泡樹脂成形体の成形精度を高く維持することができる。
【００３４】
なお、本発明は、各実施形態のみに限定されるものではなく、その要旨を逸脱しない範囲においてさらに異なる実施形態を構成することが可能である。
例えば、機能部品は、スピーカとする以外にも、遊技機の前面に突出して移動する可動式の演出体、幕板５に設けられた球皿の球貯留機構、ＬＥＤ等の発光装置、画像表示装置、飛び出し移動式のドリンクホルダー、物置き機構、手置き機構等とすることができる。
【００３５】
また、例えば、機能部品を収納するための収納部２５は、上枠部１１に形成することもできる。また、遊技機は、パチンコ遊技機とする以外にも、アレンジボール遊技機、スロットマシーン等とすることもできる。また、下枠部２のみを発泡樹脂成形体から構成し、上枠部１１は木材から構成することもできる。
また、左右の側枠部１２をアルミニウム等の金属によって形成する場合には、上枠部１１及び下枠部２の発泡樹脂成形体を、左右の側枠部１２とインサート成形によって一体成形することもできる。
【符号の説明】
【００３６】
１  枠体
１１  上枠部
１２  側枠部
２  下枠部
２０  凹部
２１  後壁部
２２  上壁部
２３  下壁部
２３１  外側部分
２３２  中央部分
２４  側壁部
２５  収納部
３  スピーカ（機能部品）
４  金具
４１  金具下部
４２  金具側部
【図１】
0006671181.tif 000002
【図２】
0006671181.tif 000003
【図３】
0006671181.tif 000004
【図４】
0006671181.tif 000005